(57)【特許請求の範囲】
【請求項１】
屋根パネルを吊り上げるために、屋根パネルの水上側端面部に取り付けられてアイボルトを装置着可能な屋根パネル用吊り具であって、
屋根パネルの水上側端面に当接して、取付ボルトにて取り付けられる端面当接面部と、該端面当接面部から水上側に向けて折曲形成されたアイボルト装着孔を有するアイボルト装着面部と、アイボルト装着面部の水上側端部から下方へ折曲形成され、上記屋根パネルの水上側に位置する他の屋根パネルに係止する係止片部とを有することを特徴とする屋根パネル用吊り具。
【請求項２】
前記アイボルト装着面部は、２つの金具の重複する部分に各々設けられると共に、一方の金具には、前記端面当接面部が、又、他方の金具には前記係止片部が各々設けられ、前記両アイボルト装着面部を重複させた状態でアイボルトを装着することにより、両金具が一体化されると共に、アイボルトを外すことにより、両金具は分離可能とされ、該端面当接面部には、取付ボルト頭部を挿通可能な大きさのボルト頭部挿通孔及び、該ボルト頭部挿通孔から、前記アイボルト装着面部よりも離間する方向へ連設されて取付ボルト頭部を抜出不能にスライド係止する長孔を形成してなることを特徴とする請求項１記載の屋根パネル用吊り具。
【請求項３】
前記端面当接面部は、前記取付ボルトを回動中心として回動可能に構成されていることを特徴とする請求項１又は２記載の屋根パネル用吊り具。
【請求項４】
前記水上側端面部に、前記取付ボルト座面部を凹状に形成することを特徴とする請求項１乃至３のうち何れか一項記載の屋根パネル用吊り具を用いた屋根パネル。
【発明の詳細な説明】
【０００１】
【発明の属する技術分野】
この発明は、主に建築物に用いられ、例えば、平板状の屋根パネルを屋根部の軒先に斜めに取り付ける際に用いる屋根パネルの屋根パネル用吊り具及び該屋根パネル用吊り具を用いた屋根パネルに関する。
【０００２】
【従来の技術】
従来、図１４に示すように、平板状の屋根パネル１をクレーン等を用いて吊り上げ、屋根部２の棟梁３上に載置する際、仮止めを行う屋根用吊り具４が、出願人によって提案されている（特願平１０−５０７０９号参照）。
【０００３】
このようなものでは、屋根パネル１の側端面５に、クレーンのフックを係止するアイボルト６が立設されると共に、このアイボルト６を挿通して、回動自在となるように前記屋根用吊り具４が軸支されて設けられている。この屋根用吊り具４には、回動により、屋根パネル１下方に突出する掛け止め片部４ａが一体に形成されている。
【０００４】
このように構成されたものでは、図中実線で示すように、掛け止め片部４ａを下方へ向けて突出させて、建築物としてのユニット建物の前記屋根部２上に、この屋根パネル１を載置する際、前記屋根部２に形成された棟梁３に係止することにより、仮止めが行われる。
【０００５】
そして、屋根パネル１を屋根部２に本固定した後、前記アイボルト６を側端面５から外す際に、この屋根用吊り具４も同時に取り外されるように構成されている。
【０００６】
なお、他のこの種のものとしては、特開平５−１８０３４号公報等に示されているようなものも知られている。
【０００７】
【発明が解決しようとする課題】
しかしながら、前記屋根用吊り具４では、前記屋根パネル１の側端面５の位置に、屋根部２の棟梁３或いは母屋の構造体が存在しなければ、前記掛け止め部４ａによる係止を行うことが出来ない。
【０００８】
このため、例えば、屋根パネル中央寄りに、棟梁３或いは母屋の構造体が存在する場合には用いることが出来なかった。
【０００９】
また、アイボルト６を取り外した後でなければ、アイボルト６突設分、間隔Ｌが空いてしまい、側端面５方向に他の屋根パネル７との隙間を取ること無く連設することが困難であった。
【００１０】
この発明の目的は、上記課題を解決し、棟梁或いは母屋の構造に拘わらず、仮止めが行えて、施工作業性を良好なものとすることが出来る屋根パネルの屋根パネル用吊り具及び該屋根パネル用吊り具を用いた屋根パネルを提供することにある。
【００１１】
【課題を解決するための手段】
その目的を達成するため、請求項１に記載された発明は、屋根パネルを吊り上げるために、屋根パネルの水上側端面部に取り付けられてアイボルトを装置着可能な屋根パネル用吊り具であって、屋根パネルの水上側端面に当接して、取付ボルトにて取り付けられる端面当接面部と、該端面当接面部から水上側に向けて折曲形成されたアイボルト装着孔を有するアイボルト装着面部と、アイボルト装着面部の水上側端部から下方へ折曲形成され、上記屋根パネルの水上側に位置する他の屋根パネルに係止する係止片部とを有する屋根パネル用吊り具を特徴としている。
【００１２】
このように構成された請求項１記載のものでは、該屋根用吊り具が取付ボルトによって取り付けられた屋根パネルを、建築物の屋根部軒先部分に載置する際、前記内側金具に設けられた係止片部を、水上側に配設される他の屋根パネル側端縁部に係止させて仮止めを行う。
【００１３】
このため、該屋根パネルの端面下方に、棟梁等が無くても仮止め出来、棟梁或いは母屋の構造に拘わらず、仮止めが行える。
【００１４】
また、請求項２記載のものでは、前記アイボルト装着面部は、２つの金具の重複する部分に各々設けられると共に、一方の金具には、前記端面当接面部が、又、他方の金具には前記係止片部が各々設けられ、前記両アイボルト装着面部を重複させた状態でアイボルトを装着することにより、両金具が一体化されると共に、アイボルトを外すことにより、両金具は分離可能とされ、該端面当接面部には、取付ボルト頭部を挿通可能な大きさのボルト頭部挿通孔及び、該ボルト頭部挿通孔から、前記アイボルト装着面部よりも離間する方向へ連設されて取付ボルト頭部を抜出不能にスライド係止する長孔を形成してなる請求項１記載の屋根パネル用吊り具を特徴としている。
【００１５】
このように構成された請求項２記載のものでは、屋根パネルを屋根部に本固定した後、前記アイボルトを抜出することにより、該両金具が分離可能とされる。
【００１６】
このため、取付ボルト頭部は、前記長孔からボルト頭部挿通孔方向へスライドさせることにより、前記一方の金具を前記取付ボルトから取り外すことが出来る。従って、隣接する他の屋根パネルとの間隙量を減少させて、母屋への本固定の順序の自由度が増大し、施工作業性を更に良好なものとすることが出来る。
【００１７】
また、請求項３に記載されたものでは、前記端面当接面部は、前記取付ボルトを回動中心として回動可能に構成されている請求項１記載の屋根用吊り具を特徴としている。
【００１８】
このように構成された請求項３記載のものでは、前記端面当接面部を、前記取付ボルトを回動中心として回動させることにより、搬送及び保管に適した位置まで、該屋根パネル用吊り具及びアイボルト装着面部から立設させるアイボルトを傾倒させて収納させることが出来る。
【００１９】
そして、請求項４に記載されたものでは、前記水上側端面部に、前記取付ボルト座面部を凹状に形成する請求項１乃至３のうち何れか一項記載の屋根用吊り具を用いた屋根パネルを特徴としている。
【００２０】
このように構成された請求項４記載のものでは、屋根パネルの前記水上側端面部に形成された前記取付ボルト座面部が凹状に形成されているので、該取付ボルト座面部内に、前記アイボルト装着面部から立設されるアイボルトを収納することが出来る。
【００２１】
また、該アイボルトの水上方向突設量を、該取付ボルト座面部が凹状に形成されたことにより減少させて、更に、隣接する水上側屋根パネルとの間隙を減少させることが出来る。
【００２２】
【発明の実施の形態１】
次に、この発明の実施の形態１を、図面を用いて説明する。なお、前記従来例と同一乃至均等な部分については、同一符号を付して説明する。図１乃至図１３に示すこの実施の形態１の屋根パネルの屋根パネル用吊り具及び該屋根パネル用吊り具を用いた屋根パネルでは、平板状の軒先側屋根パネル１０をクレーン９等を用いて吊り上げ、建築物としてのユニット建物の屋根部２のうち、軒先部分２ａ上に載置する際、本固定までの仮止めを行うものである。
【００２３】
このようなものでは、屋根部２に、建物躯体８ａの上面部に固定された断面略コ字状の金属フレーム体８ｂによって支持される断面略台形形状の軒先桁梁８ｃが、軒延設方向に沿って設けられている。
【００２４】
また、前記軒先側屋根パネル１０は、主に、フレーム枠体１０ａ，１０ｂ及び上側パネルボード１０ｃ，下側パネルボード１０ｄとから略矩形に形成されている。この軒先側屋根パネル１０の水上側端面部１０ｅには、フレーム枠体１０ｂ外側面に水上側フレーム枠体１１が貼設されると共に、一対の取付ボルト座面部１１ａ，１１ａが水平方向断面略凹状に形成されている。
【００２５】
そして、この屋根部２に先行して載置される水上側屋根パネル２０には、軒側フレーム２０ｂの外側面に、端面フレーム材２１が貼設されている。この端面フレーム材２１の上面側には、水上側屋根パネル２０の略全幅に渡り断面略Ｌ字状に係止溝部２１ａが形成されていて、前記軒側フレーム２０ａ外側面と共に、鉛直方向断面略凹状を呈するように構成されている。
【００２６】
また、前記軒先用屋根パネル１０の水上側端面部１０ｅに形成された取付ボルト座面部１１ａには、アイボルト６を用いてロープで吊り上げる際、取付ボルト座面部１１ａと、アイボルト６の間に介在される屋根パネル用吊り具１２がこの水上側屋根パネル２０の軒先側端面部２１ｂと対向する位置に装着される。
【００２７】
この屋根パネル用吊り具１２は、主に、一方の金具としての外側金具１３，及び他方の金具としての内側金具１４の２つの金具から主に構成され、この外側金具１３を前記取付ボルト座面部１１ａに固定する取付ボルト１５，ナット１６等を有して構成されている。
【００２８】
このうち、外側金具１３は、側面視略Ｌ字状を呈し、前記水上側端面部１０ｅに対向する平板状の基板部としての端面当接面部１３ａが形成されている。また、この端面当接面部１３ａからは、前記水上側に向けて、アイボルト６の雄ネジ部６ａを挿通するアイボルト装着孔１３ｃが設けられた一方のアイボルト装着面部１３ｂが折曲形成されている。
【００２９】
そして、前記端面当接面部１３ａには、取付ボルト１５の頭部１５ａを挿通可能な大きさのボルト頭部挿通孔１３ｄが略円状に形成されている。このボルト頭部挿通孔１３ｄからは、前記アイボルト装着面部１３ｂよりも離間する方向へ向けて、前記取付ボルト頭部１５ａを抜出不能にスライド係止する長孔１３ｅが連設して形成されて正面視略鍵穴状を呈するように構成されている。
【００３０】
また、前記内側金具１４は、この外側金具１３の内側面に沿ってスライド移動可能なように側面視略フック状を呈し、前記端面当接面部１３ａの内側に位置して重複する略平板状の端面当接面部内側片１４ａと、前記アイボルト装着面部１３ｂの内側に位置して、前記アイボルト装着面部１３ｂと重複する他方のアイボルト装着面部としての共締め片部１４ｂと、この共締め片部１４ｂの水上側端縁１４ｃから下方へ一体に折曲形成されて、前記水上方向に位置する水上側屋根パネル２０の軒先側端面部２１ｂに設けられた係止溝部２１ａに係止する係止片部１４ｄとから主に構成されている。
【００３１】
このうち、前記端面当接面部内側片１４ａの一側縁１４は、図３に示すように前記ボルト頭部挿通孔１３ｄを覆う位置まで延設されている。
【００３２】
また、前記共締め片部１４ｂには、前記アイボルト装着孔１３ｃと対向する位置に、前記アイボルト６の雄ネジ部６ａを挿通する共締め孔１４ｆが形成されている。
【００３３】
次に、この実施の形態１の作用を説明する。
【００３４】
この実施の形態１では、予め前記外側金具１３のアイボルト装着孔１３ｃ及び前記内側金具１４の共締め孔１４ｆにアイボルト６の雄ネジ部６ａを挿通して、ナット１６によって共締めし、前記外側金具１３及び内側金具１４を重複させて一体化して屋根パネル用吊り具１２を概略構成する。
【００３５】
次に、これらの屋根パネル用吊り具１２，１２を、図２又は図１１に示すように、前記軒先側屋根パネル１０の水上側端面部１０ｅに位置する取付ボルト座面部１１ａ，１１ａに対して、各々取付ボルト１５と、前記フレーム枠体１０ｂ内側面側に位置するナット１６及びワッシャ部材１６ａとを用いて、回動可能に装着する。
【００３６】
この際、ボルト頭部１５ａは、前記内側金具１４の一側縁１４ｅによって、アイボルト装着面部１３ｂ方向であるボルト頭部挿通孔１３ｄ方向への移動を規制されて、雄ネジ部１５ｂを前記長孔１３ｅ内に留め、取付ボルト頭部１５ａが、この長孔１３ｅ周縁に抜出不能にスライド係止される。
【００３７】
このように、屋根パネル用吊り具１２，１２を取付ボルト１５，１５によって取り付けるとアイボルト６，６が上方へ向けて、前記上側パネルボード１０ｃ延設面から更に上方に位置する様に突設固定される。このため、図１０に示すように、屋根パネル１０が、他の軒先側に螺合固着されたアイボルト６，６と共に、クレーン９等のフックによって、略四隅を掛止されて、ユニット建物８の屋根部軒先部分２ａまで、吊り上げられて載置される。
【００３８】
この軒先側屋根パネル１０の載置の際、前記母屋側の軒先桁梁８ｃ上面部８ｄに、この水上側端面部１０ｅ下面部を載せると共に、前記内側金具１４に設けられた係止片部１４ｄを、水上側に配設される水上側屋根パネル２０の軒先側端面部２１ｂに形成された係止溝部２１ａに係止させて仮止めが行われる。
【００３９】
このため、例えば、図１中二点鎖線で示すように、軒先桁梁８ｃが、更に、軒先方向で、下面パネルボード１０ｄ下方に位置し、この軒先側屋根パネル１０の水上側端面部１０ｅ下方に、棟梁等が無くても仮止め出来、棟梁或いは母屋の構造に拘わらず、前記屋根パネル用吊り具１２によって仮止めが行える。
【００４０】
次に、この軒先側屋根パネル１０を屋根部軒先部分２ａに本固定した後、前記アイボルト６とナット１６との螺合を解除して、雄ネジ部６ａを前記アイボルト装着孔１３ｃ及び共締め孔１４ｆから抜出することにより、前記内側金具１４が、外側金具の１３内側面に沿って図１２中、ニ点鎖線で示すように、前記係止溝部２１ａに沿って、スライド移動出来る。そして、この内側金具１４は、図１２中一点鎖線で示すように、前記外側金具１３から分離可能状態となり、取り外される。
【００４１】
このため、取付ボルト頭部１５ａは、前記内側金具１４の一側縁１４ｅによる規制を解かれて、雄ネジ部１５ｂを前記長孔１３ｅからボルト頭部挿通孔１３ｄ方向へスライドさせるように、この外側金具１３を図中下方へ一旦降下させる。
【００４２】
そして、取付ボルト頭部１５ａを前記ボルト頭部挿通孔１３ｄにくぐらせて、図１３に示すように、前記取付ボルト座面部１１ａから上方へこの外側金具１４を抜くことにより、前記取付ボルト１５から取り外すことが出来る。従って、従来の側端面５にアイボルト６を突設させていたものに比して、水上側端面部１０ｅと隣接する水上側屋根パネル２０の軒先側端面部２１ｂとの間隙量を減少させて、母屋への本固定の順序の自由度が増大し、施工作業性を更に良好なものとすることが出来る。
【００４３】
また、この実施の形態１の屋根パネル用吊り具１２では、図１１中二点鎖線で示すように、前記端面当接面部１３ａを、前記取付ボルト１５を回動中心として回動させることにより、搬送及び保管に適した位置まで、この屋根パネル用吊り具１２及び外側金具１４から立設されるアイボルト６を傾倒させて収納させることが出来る。
【００４４】
そして、更に、軒先用屋根パネル１０の前記水上側端面部１０ｅに形成された前記取付ボルト座面部１１ａが凹状を呈しているので、取付ボルト座面部１１ａ内に、前記屋根パネル用吊り具１２及び外側金具１４から立設されるアイボルト６を、水上側端面１１ｅからの突出量を減少させて収納することが出来る。
【００４５】
また、前記アイボルト６を、前記上側パネルボード１０ｃ延設方向から上方へ突設させると共に、アイボルト６の水上方向突設量を前記取付ボルト座面部１１ａが凹状に形成されることにより減少させて、更に、隣接する水上側屋根パネル２０の軒先側端面部２１ｂとの間隙量を更に減少させることが出来る。
【００４６】
以上、この発明の実施の形態１を図面により詳述してきたが、具体的な構成はこの実施の形態１に限らず、この発明の要旨を逸脱しない範囲の設計の変更等があってもこの発明に含まれる。
【００４７】
例えば、前記実施の形態１では、一対の屋根パネル用吊り具１２，１２を用いて、アイボルト６，６を、軒先用屋根パネル１０の前記水上側端面部１０ｅに設けているが、特にこれに限らず、例えば、単数或いは、３個以上用いても良いことは当選である。また、前記実施の形態１では、前記水上側端面部１０ｅに形成された前記取付ボルト座面部１１ａが凹状を呈しているが、特にこれに限らず、例えば、前記水上側端面部１０ｅと略同一高さの取付ボルト座面部１１ａに、前記屋根パネル用吊り具１２を設けるように構成してもよい。
【００４８】
【発明の効果】
以上、説明してきたように、前記請求項１記載のものでは、該屋根用吊り具が取付ボルトによって取り付けられた屋根パネルを、建築物の屋根部軒先部分に載置する際、前記内側金具に設けられた係止片部を、水上側に配設される他の屋根パネル側端縁部に係止させて仮止めを行う。
【００４９】
このため、該屋根パネルの端面下方に、棟梁等が無くても仮止め出来、棟梁或いは母屋の構造に拘わらず、仮止めが行える。
【００５０】
また、請求項２記載のものでは、屋根パネルを屋根部に本固定した後、前記アイボルトを抜出することにより、該両金具が分離可能とされる。
【００５１】
このため、取付ボルト頭部は、前記長孔からボルト頭部挿通孔方向へスライドさせることにより、前記一方の金具を前記取付ボルトから取り外すことが出来る。従って、隣接する他の屋根パネルとの間隙量を減少させて、母屋への本固定の順序の自由度が増大し、施工作業性を更に良好なものとすることが出来る。
【００５２】
また、請求項３に記載されたものでは、前記端面当接面部を、前記取付ボルトを回動中心として回動させることにより、搬送及び保管に適した位置まで、該屋根パネル用吊り具及び前記アイボルト装着面部から立設されるアイボルトを傾倒させて収納させることが出来る。
【００５３】
そして、請求項４に記載されたものでは、屋根パネルの前記水上側端面部に形成された前記取付ボルト座面部が凹状に形成されているので、該取付ボルト座面部内に、前記アイボルト装着面部から立設されるアイボルトを収納することが出来る。
【００５４】
また、該アイボルトの水上方向突設量を、該取付ボルト座面部が凹状に形成されたことにより減少させて、更に、隣接する水上側屋根パネルとの間隙を減少させることが出来る、といった実用上有益な効果を奏する。
【図面の簡単な説明】
【図１】この発明の実施の形態１の屋根パネルの屋根パネル用吊り具及び該屋根パネル用吊り具を用いた屋根パネルを示し、図１０のＡ−Ａ線に沿った位置での断面図である。
【図２】実施の形態１の屋根パネルの屋根パネル用吊り具及び該屋根パネル用吊り具を用いた屋根パネルを示し要部の拡大断面図である。
【図３】実施の形態１の屋根パネルの屋根パネル用吊り具で、正面図である。
【図４】実施の形態１の屋根パネルの屋根パネル用吊り具で、外側金具の上面図である。
【図５】実施の形態１の屋根パネルの屋根パネル用吊り具で、外側金具の正面図である。
【図６】実施の形態１の屋根パネルの屋根パネル用吊り具で、外側金具の図５中Ｂ−Ｂ線に沿った位置での断面図である。
【図７】実施の形態１の屋根パネルの屋根パネル用吊り具で、内側金具の上面図である。
【図８】実施の形態１の屋根パネルの屋根パネル用吊り具で、内側金具の正面図である。
【図９】実施の形態１の屋根パネルの屋根パネル用吊り具で、内側金具の図８中Ｃ−Ｃ線に沿った位置での断面図である。
【図１０】実施の形態１の屋根パネルの屋根パネル用吊り具及び該屋根パネル用吊り具を用いた屋根パネルで施工例の斜視図である。
【図１１】実施の形態１の屋根パネルの屋根パネル用吊り具で、アイボルト突設状態の斜視図である。
【図１２】実施の形態１の屋根パネルの屋根パネル用吊り具で、アイボルト及び内側金具を取り外す状態を示す斜視図である。
【図１３】実施の形態１の屋根パネルの屋根パネル用吊り具で、外側金具を取り外す状態を示す斜視図である。
【図１４】従来例の屋根用吊り具の斜視図である。
【符号の説明】
２        屋根部
２ａ      軒先部分
８        ユニット建物（建築物）
８ｂ      上面部
１０      軒先側屋根パネル
１２      屋根パネル用吊り具
１３      外側金具（一方の金具）
１３ｂ    （一方の）装着面部
１３ｃ    アイボルト装着孔
１３ｄ    ボルト頭部挿通孔
１３ｅ    長孔
１４      内側金具（他方の金具）
１４ａ    端面当接面部内側片
１４ｂ    共締め片部（他方のアイボルト装着面部）
１４ｃ    水上側端縁
１４ｄ    係止片部
１４ｅ    一側縁
１４ｆ    共締め孔
２０      水上側屋根パネル（他の屋根パネル）
２１ａ    係止溝部
２１ｂ    軒先側端面部
【図１】
0003718344.tif 000002
【図２】
0003718344.tif 000003
【図３】
0003718344.tif 000004
【図４】
0003718344.tif 000005
【図５】
0003718344.tif 000006
【図６】
0003718344.tif 000007
【図７】
0003718344.tif 000008
【図８】
0003718344.tif 000009
【図９】
0003718344.tif 000010
【図１０】
0003718344.tif 000011
【図１１】
0003718344.tif 000012
【図１２】
0003718344.tif 000013
【図１３】
0003718344.tif 000014
【図１４】
0003718344.tif 000015